(57)【要約】【課題】  第三者に偽装または盗用されるのを防止する非接触照合システムを提供する。【解決手段】  ＲＦＩＤ装置を備えてなる非接触型データ受送信体１１と、ＲＦＩＤ装置に関して情報の読み出しを行う情報読出装置１２と、を具備する非接触照合システム１０において、情報読出装置１２は筒状部材１３の内側面に互いに間隔を隔てて設けられた複数のアンテナ１４を備えてなり、非接触型データ受送信体１１とアンテナ１４との組み合わせを順次切り替えることにより、情報読出装置１２によるＲＦＩＤ装置に関する情報の読み出しを行う。【選択図】        図１
2006134148.tif 000002
【特許請求の範囲】
【請求項１】
ＲＦＩＤ機能を有する半導体装置を備えてなる非接触型データ受送信体と、前記半導体装置に関して情報の読み出しを行う情報読出装置と、を具備する非接触照合システムであって、
前記情報読出装置は筒状の部材の内側面に互いに間隔を隔てて設けられた複数のアンテナを備えてなり、前記非接触型データ受送信体と前記アンテナとの組み合わせを順次切り替えることにより、前記情報読出装置による前記半導体装置に関する情報の読み出しが行われることを特徴とする非接触照合システム。
【請求項２】
前記非接触型データ受送信体は、少なくとも磁性体からなる一方の面と導電体からなる他方の面とを備えてなる平板状の部材と、前記磁性体の前記導電体と接している面とは反対の面に設けられるＲＦＩＤ機能を有する半導体装置と、を具備することを特徴とする請求項１に記載の非接触照合システム。
【発明の詳細な説明】
【技術分野】
【０００１】
本発明は、非接触照合システムに関する。
【背景技術】
【０００２】
マンション（ビル）などでは、安全性を確保するために、オートロックドアシステムを採用している場合がある。
このオートロックドアシステムは、住人本人がマンションなどに入る場合には、マンションなどの入口に設けた外来用の内線電話機のキーボードにて暗証コードを入力することにより、オートロックドアを開錠している。また、外来者がマンションなどに入る場合には、部屋番号を押すことにより、各部屋に専用に配線されたインターホン回線を通じて部屋の中にある専用インターホンで住人と話をし、問題がなければ住人がオートロックドアを開錠し、外来者を入場させるものである。
【０００３】
しかしながら、このシステムでは、他人に暗証コードを盗み見されるおそれや、虚偽の電話により全く無関係な人がマンションなどに侵入するおそれがあり、安全性が不十分となりつつある。また、キーボードに直接触れることは、衛生上の問題から懸念されることもある。
【０００４】
そこで、非接触型ＩＣカードなどのＲＦＩＤ（Ｒａｄｉｏ  Ｆｒｅｑｕｅｎｃｙ  ＩＤｅｎｔｉｆｉｃａｔｉｏｎ）用途の情報記録メディアを用いて、ドアロックを開錠するオートロックドアシステムが考案されている（例えば、特許文献２参照。）。
このシステムは、非接触ＩＣタグなどがリーダ／ライタからの電磁波を受信すると共振作用によりアンテナに起電力が発生し、この起電力によりＩＣラベル内のＩＣチップが起動し、チップ内の情報を信号化し、この信号がＩＣラベルのアンテナから発信され、ＩＣラベルから発信された信号は、リーダ／ライタのアンテナで受信され、コントローラーを介してデータ処理装置へ送られ、個人の識別などのデータ処理が行われるものである（例えば、特許文献２参照。）。
【０００５】
しかしながら、このシステムでは、非接触型ＩＣカードなどをリーダ／ライタに近付けることのみで、ドアロックを開錠することができるため、非接触型ＩＣカードなどを偽装されるおそれや、他の非接触型ＩＣカードなどがリーダ／ライタに識別されるおそれがあり、安全性が十分に確保されないことがあった。
【０００６】
また、バーコードを利用して暗証コードを認識する方法により、上記のシステムを代替することも可能である。しかしながら、バーコードは表面印刷により形成されるため、バーコードが設けられたカードなどを取り出す際や、このようなカードなどを財布などに入れておいた場合に、バーコードの内容を第三者に認識されるおそれがある。
【特許文献１】特開２０００−２８５２０７号公報
【発明の開示】
【発明が解決しようとする課題】
【０００７】
本発明は、前記事情に鑑みてなされたもので、第三者に偽装または盗用されるのを防止する非接触照合システムを提供することを目的とする。
【課題を解決するための手段】
【０００８】
本発明は、ＲＦＩＤ機能を有する半導体装置を備えてなる非接触型データ受送信体と、前記半導体装置に関して情報の読み出しを行う情報読出装置と、を具備する非接触照合システムであって、前記情報読出装置は筒状の部材の内側面に互いに間隔を隔てて設けられた複数のアンテナを備えてなり、前記非接触型データ受送信体と前記アンテナとの組み合わせを順次切り替えることにより、前記情報読出装置による前記半導体装置に関する情報の読み出しが行われる非接触照合システムを提供する。
【０００９】
かかる構成によれば、非接触型データ受送信体と、情報読出装置に設けられた複数のアンテナとの組み合わせを順次切り替え、非接触型データ受送信体の磁束の方向と、それぞれのアンテナを通過する磁束の方向とを合わせることにより、情報読出装置による非接触型データ受送信体に備えられた半導体装置に関する情報の読み出しが行われ、非接触型データ受送信体を所有する個体が識別される。したがって、この非接触照合システムは、第三者に偽装または盗用され難く、より安全性に優れている。
【００１０】
上記構成の非接触照合システムにおいて、前記非接触型データ受送信体は、少なくとも磁性体からなる一方の面と導電体からなる他方の面とを備えてなる平板状の部材と、前記磁性体の前記導電体と接している面とは反対の面に設けられるＲＦＩＤ機能を有する半導体装置と、を具備することが好ましい。
【００１１】
かかる構成によれば、非接触型データ受送信体を、情報読出装置をなす筒状の部材内で傾ける角度を変化させながら、筒状部材の内側面に設けられたアンテナに接近させることにより、情報読出装置による非接触型データ受送信体に備えられた半導体装置に関する情報の読み出しが行われる。
【発明の効果】
【００１２】
本発明の非接触照合システムは、情報読出装置が筒状の部材の内側面に互いに間隔を隔てて設けられた複数のアンテナを備えてなり、非接触型データ受送信体とアンテナとの組み合わせを順次切り替えることにより、非接触型データ受送信体の磁束の方向と、それぞれのアンテナを通過する磁束の方向を合わせることにより、情報読出装置による半導体装置に関する情報の読み出しが行われる。したがって、本発明の非接触照合システムは、第三者に偽装または盗用され難く、より安全性に優れている。
【発明を実施するための最良の形態】
【００１３】
以下、本発明を実施したに非接触照合システムついて詳細に説明する。
【００１４】
（第一の実施形態）
図１は、本発明に係る非接触照合システムの第一の実施形態を示す概略図である。図２は、図１のＡ−Ａ線に沿う概略断面図であり、（ａ）は一例を示し、（ｂ）は他の例を示す。
図１中、符号１０は非接触照合システム、１１は非接触型データ受送信体、１２は情報読出装置、１３は筒状の部材、１４はアンテナをそれぞれ示している。
この実施形態の非接触照合システム１０は、ＲＦＩＤ機能を有する半導体装置（以下、「ＲＦＩＤ装置」と略す。）を備えた非接触型データ受送信体１１と、この非接触型データ受送信体１１のＲＦＩＤ装置に関して情報の書き込みおよび読み出しを行う情報読出装置１２とから概略構成されている。
【００１５】
情報読出装置１２は、絶縁性の材料などからなり、長手方向と垂直な断面形状が円筒状の筒状の部材（以下、「筒状部材」と略す。）１３の内側面１３ａに複数のアンテナ１４（１４Ａ，１４Ｂ，１４Ｃ，１４Ｄ，・・・）が、筒状部材１３の内周方向（筒状部材１３の長手方向と垂直な方向）に沿って間隔を隔てて設けられており、これらのアンテナ１４が筒状部材１３に内蔵されている情報読出部（図示略）に電気的に接続されている。
【００１６】
また、複数のアンテナ１４を設ける間隔は特に限定されず、互いに重ならない程度の間隔を隔てて設けられていればよい。
【００１７】
非接触型データ受送信体１１は、例えば、図２（ａ）に示すように、磁性体２１からなる一方の面と、導電体２２からなる他方の面とを備えてなる平板状の部材２３と、磁性体２１の導電体２２と接している面とは反対の面に設けられるＲＦＩＤ装置２４とから概略構成されている。また、非接触型データ受送信体１１は、図２（ｂ）に示すように、図２（ａ）に示す導電体２２の磁性体２１と接している面とは反対の面に磁性体２５が設けられ、かつ、磁性体２５の導電体２２と接している面とは反対の面にＲＦＩＤ装置２６が設けられてなるものであってもよい。
【００１８】
磁性体２１，２５は、結合剤と、磁性材料からなる粉末（以下、「磁性体粉末」とも言う。）または磁性材料からなるフレーク（以下、「磁性体フレーク」とも言う。）とからなる複合体である。
この複合体においては、磁性体粉末または磁性体フレークが結合剤にほぼ均一に分散しており、磁性体２１，２５は、その全域に渡って均一に磁性体として機能する。また、磁性体２１，２５は、以下に示すような弾性を有する結合剤を含むから、弾性体としても機能する。
【００１９】
磁性体粉末としては、カーボニル鉄粉末、パーマロイなどのアトマイズ粉末、還元鉄粉末などが挙げられる。
磁性体フレークとしては、カーボニル鉄粉末、パーマロイなどのアトマイズ粉末、還元鉄粉末などをボールミルなどで微細化して微粉末とした後、この微粉末を機械的に扁平化して得られたフレークや、鉄系またはコバルト系アモルファス合金の溶湯を水冷銅板に衝突させて得られたフレークなどが挙げられる。
【００２０】
結合剤としては、弾性を有する材料が用いられ、このような材料としては、熱可塑性樹脂、熱硬化性樹脂、反応型樹脂などが挙げられる。
上記の熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、あるいは、スチレン系ゴム、フッ素系ゴム、シリコン系ゴム、エチレン−プロピレン共重合体ゴムなどのポリマー系の合成ゴム材料などが挙げられる。
【００２１】
上記の熱硬化性樹脂または反応型樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂などが挙げられる。
【００２２】
導電体２２としては、導電性の金属箔、金属板、金属網、導電性ペーストからなる導電性の膜などの電磁波を遮断できる材質または磁束を内部で吸収できるものが挙げられる。このような導電体をなす材料としては、例えば、鉄（Ｆｅ）、ニッケル（Ｎｉ）、亜鉛（Ｚｎ）、マンガン（Ｍｎ）、コバルト（Ｃｏ）、アルミニウム（Ａｌ）などの電磁遮蔽効果を有する金属からなる金属箔と、その他の金属箔とを貼り合わせてなるもの、鉄、ニッケル、亜鉛、マンガン、コバルト、アルミニウムなどの金属からなる金属粉と、その他の金属粉とを混入したアクリル樹脂、銅（Ｃｕ）−ニッケル（Ｎｉ）多層複合材、アルミニウム蒸着膜、各種金属などからなる導電性粉末を混和した塗装材、導電性繊維を含むプラスチック複合材、上記の電磁遮蔽効果を有する金属を接着剤に配合してなる導電性ペーストなどが挙げられる。
【００２３】
ＲＦＩＤ装置２４は、磁性体２１の導電体２２と接する面とは反対の面に設けられたアンテナ（図示略）と、アンテナの両端と接点（図示略）を介して電気的に接続されたＩＣチップ（図示略）とから概略構成されている。また、ＲＦＩＤ装置２６は、磁性体２５の導電体２２と接する面とは反対の面に設けられたアンテナ（図示略）と、アンテナの両端と接点（図示略）を介して電気的に接続されたＩＣチップ（図示略）とから概略構成されている。
【００２４】
ＲＦＩＤ装置２４，２６を構成するアンテナは、非接触型データ受送信体１１の基材の一方の面にコイル状、ポール状、折り曲げポール状、ループ状などに設けられており、電磁誘導方式を採用していて、かつ、起電力が得られるものであれば、アンテナの形状は特に限定されない。
【００２５】
ＲＦＩＤ装置２４，２６を構成するＩＣチップとしては、特に限定されず、アンテナを介して非接触状態にて情報の読み出しが可能なもので、かつ、非接触型ＩＣタグや非接触型ＩＣラベル、あるいは非接触型ＩＣカードなどのＲＦＩＤメディアに適用可能なものであればいかなるものでも用いられる。
【００２６】
ここで、例えば、この非接触照合システム１０がマンションなどのオートロックドアシステムに適用される場合、非接触型データ受送信体１１をマンションなどの住人が所持して、開錠用の鍵とて使用する。一方、情報読出装置１２は、マンションなどのドアに設置されてドアの錠と接続されており、ドアの錠は情報装置１２の動作に連動するようになっている。
【００２７】
なお、この実施形態では、情報読出装置１２をなす筒状部材１３の内側面１３ａに１４Ａ，１４Ｂ，１４Ｃ，１４Ｄ，・・・が設けられた非接触照合システム１０を例示したが、本発明の非接触照合システムはこれに限定されない。本発明の非接触照合システムにあっては、情報読出装置をなす筒状部材の内側面に共振周波数の異なる複数のアンテナが設けられていれば、アンテナの数や配置は特に限定されない。
【００２８】
また、この実施形態では、筒状部材１３として、円筒状のものを例示したが、本発明の非接触照合システムはこれに限定されない。本発明の非接触照合システムにあっては、筒状部材の長手方向と垂直な断面の形状が楕円状、三角形状、正方形状、矩形状、菱形状、あるいは、五角形状、六角形状などの多角形状であってもよい。これらの中でも、非接触型データ受送信体の磁束の方向と、それぞれのアンテナを通過する磁束の方向とを合わせやすいこと、磁束の方向が所定の向きをなすアンテナを多数設けられることなどから、五角形以上の多角形状が好ましい。
【００２９】
また、情報読出装置をなすアンテナによる非接触型データ受送信体を構成するＲＦＩＤ装置に関する情報の読出距離や読出範囲は、アンテナの形状や大きさによって変形できる。したがって、この読出距離や読出範囲は、各々の情報読出装置における設計事項である。
【００３０】
次に、図１および図２を参照して、非接触照合システム１０の使用方法の一例を説明する。
この非接触照合システム１０では、非接触型データ受送信体１１と、マンションなどのドアに設置された情報読出装置１２のアンテナ１４Ａ，１４Ｂ，１４Ｃ，１４Ｄ，・・・との組み合わせを順次切り替えることにより、情報読出装置１２による非接触型データ受送信体１１に備えられたＲＦＩＤ装置に関する情報の読み出しが行われ、非接触型データ受送信体１１を所有する個体（人）が識別されるとともに、ドアの錠が開錠される。
【００３１】
この非接触照合システム１０の使用方法において、「非接触型データ受送信体１１と、マンションなどのドアに設置された情報読出装置１２のアンテナ１４Ａ，１４Ｂ，１４Ｃ，１４Ｄ，・・・との組み合わせを順次切り替える」とは、例えば、図１に破線で示すように、非接触型データ受送信体１１を、筒状部材１３の内側面１３ａに設けられたアンテナ１４Ａ，１４Ｂ，１４Ｃ，１４Ｄ，・・・に、所定の順番で接近させることをいう。あるいは、非接触型データ受送信体１１を、アンテナ１４Ａ，１４Ｂ，・・・，１４Ｉに接近させる際に、非接触型データ受送信体１１とアンテナ１４Ａ，１４Ｂ，・・・，１４Ｉとのなす角度を順次切り替えることをいう。
【００３２】
なお、アンテナ１４Ａ，１４Ｂ，１４Ｃ，１４Ｄ，・・・は、筒状部材１３の内側面１３ａに間隔を隔てて設けられているので、それぞれのアンテナ１４を通過する磁束の方向が異なっている。したがって、この非接触照合システム１０では、非接触型データ受送信体１１を、所定の順番でアンテナ１４Ａ，１４Ｂ，１４Ｃ，１４Ｄ，・・・に接近させるとともに、非接触型データ受送信体１１の磁束の方向と、それぞれのアンテナ１４を通過する磁束の方向を合わせることにより、情報読出装置１２により、非接触型データ受送信体１１をなすＲＦＩＤ装置の情報が読みとられ、個体を識別するとともに、ドアの錠が開錠される。
【００３３】
そこで、図２（ａ）に示すように、ＲＦＩＤ装置２４を一方の面にのみ有する非接触型データ受送信体１１を用いる場合、非接触型データ受送信体１１を、筒状部材１３内で傾ける角度を変化させながら、筒状部材１３の内側面１３ａに設けられたアンテナ１４Ａ，１４Ｂ，１４Ｃ，１４Ｄ，・・・に順に接近させることにより、情報読出装置１２により、非接触型データ受送信体１１に備えられたＲＦＩＤ装置の情報が読みとられ、個体を識別するとともに、ドアの錠が開錠される。
【００３４】
一方、図２（ｂ）に示すように、ＲＦＩＤ装置を両面に有する非接触型データ受送信体１１を用いる場合、すなわち、ＲＦＩＤ装置２４とＲＦＩＤ装置２６をそれぞれの面に有する非接触型データ受送信体１１を用いる場合、非接触型データ受送信体１１を、筒状部材１３内で傾ける角度を変化させるとともに、ＲＦＩＤ装置２４またはＲＦＩＤ装置２６選択的に、筒状部材１３の内側面１３ａに設けられたアンテナ１４Ａ，１４Ｂ，１４Ｃ，１４Ｄ，・・・に接近させることにより、情報読出装置１２により、非接触型データ受送信体１１に備えられたＲＦＩＤ装置の情報が読みとられ、個体を識別するとともに、ドアの錠が開錠される。
【００３５】
なお、本発明の非接触照合システムでは、あらかじめ非接触型データ受送信体を、情報読出装置をなす筒状部材の内側面に設けられた複数のアンテナに接近させる順番を任意に設定しておき、その順番に従って、非接触型データ受送信体をこれらのアンテナに接近させる。また、非接触型データ受送信体をアンテナに接近させる順番は、何時でも設定を変更することが可能である。
【００３６】
また、非接触型データ受送信体を、これらのアンテナに順に接近させる速度（非接触型データ受送信体が、情報読出装置の複数のアンテナが設けられている面を非接触状態で、近接させて所定の方向に移動させる速度）を、所定の範囲としてもよい。この速度の範囲内で非接触型データ受送信体が移動しない場合、情報読出装置による識別を不可とする。また、非接触型データ受送信体をアンテナに接近させる速度は、何時でも設定を変更することが可能である。
【００３７】
さらに、非接触型データ受送信体をアンテナに接近させる際に時間差を設けて、所定のタイミングで非接触型データ受送信体をアンテナに接近させた場合にのみ、情報読出装置による識別を可能としてもよい。
【００３８】
また、非接触型データ受送信体をアンテナに接近させる順序、非接触型データ受送信体とアンテナとのなく角度、非接触型データ受送信体をアンテナに接近させるタイミングを組み合わせてもよい。このようにすれば、個体を識別するための要件が多くなり、より機密性に優れたシステムとなる。
【００３９】
このように、この実施形態では、あらかじめ設定しておいた順番に従って、非接触型データ受送信体１１を、情報読出装置１２をなす筒状部材１３の内側面１３ａに設けられたアンテナ１４Ａ，１４Ｂ，１４Ｃ，１４Ｄ，・・・に接近させるとともに、非接触型データ受送信体１１の磁束の方向と、アンテナ１４のそれぞれを通過する磁束の方向を合わせることにより、情報読出装置１２による非接触型データ受送信体１１に備えられたＲＦＩＤ装置に関する情報の読み出しが行われ、非接触型データ受送信体１１を所有する個体（人）が識別される。所定の順番に従わずに、かつ、非接触型データ受送信体１１の磁束の方向と、アンテナ１４のそれぞれを通過する磁束の方向を合わせずに、非接触型データ受送信体１１を、アンテナ１４Ａ，１４Ｂ，１４Ｃ，１４Ｄ，・・・に接近させた場合には、個体が識別されない。したがって、この非接触照合システム１０は、第三者に偽装または盗用され難く、より安全性に優れている。
【００４０】
（第二の実施形態）
図３は、本発明に係る非接触照合システムの第二の実施形態を示す概略図である。
図３中、符号３０は非接触照合システム、３１は非接触型データ受送信体、３２は情報読出装置、３３は筒状部材、３４はアンテナをそれぞれ示している。
この実施形態の非接触照合システム３０が、上述の非接触照合システム１０と異なる点は、円筒状の筒状部材３１の内側面に、複数のアンテナ３４（３４Ａ，３４Ｂ，３４Ｃ，３４Ｄ，３４Ｅ，３４Ｆ，３４Ｇ，３４Ｈ，３４Ｉ，・・・）が、筒状部材３３の内周方向（筒状部材３３の長手方向と垂直な方向）に沿って間隔を隔てて設けられているとともに、筒状部材３３の内側面の長手方向に沿って間隔を隔てて設けられている点である。
【００４１】
この実施形態でも、あらかじめ設定しておいた順番に従って、非接触型データ受送信体３１を、情報読出装置３２をなす筒状部材３３の内側面３３ａに設けられたアンテナ３４Ａ，３４Ｂ，３４Ｃ，３４Ｄ，３４Ｅ，３４Ｆ，３４Ｇ，３４Ｈ，３４Ｉ，・・・に接近させるとともに、非接触型データ受送信体３１の磁束の方向と、アンテナ３４のそれぞれを通過する磁束の方向を合わせることにより、情報読出装置３２による非接触型データ受送信体３１に備えられたＲＦＩＤ装置に関する情報の読み出しが行われ、非接触型データ受送信体３１を所有する個体（人）が識別される。所定の順番に従わずに、かつ、非接触型データ受送信体３１の磁束の方向と、アンテナ３４のそれぞれを通過する磁束の方向を合わせずに、非接触型データ受送信体３１をなすＲＦＩＤ装置をアンテナ３４Ａ，３４Ｂ，３４Ｃ，３４Ｄ，３４Ｅ，３４Ｆ，３４Ｇ，３４Ｈ，３４Ｉ，・・・に接近させた場合には、個体が識別されない上に、ロックも開錠されない。したがって、この非接触照合システム３０は、第三者に偽装または盗用され難く、より安全性に優れている。
【産業上の利用可能性】
【００４２】
本発明の非接触照合システムは、マンションなどの建物のオートロックドアシステムだけでなく、金庫、貴重品や商品の保管庫などの安全性や機密性が重視されるものにも適用できる。
【図面の簡単な説明】
【００４３】
【図１】本発明に係る非接触照合システムの第一の実施形態を示す概略図である。
【図２】図１のＡ−Ａ線に沿う概略断面図である。
【図３】本発明に係る非接触照合システムの第二の実施形態を示す概略図である。
【符号の説明】
【００４４】
１０，３０・・・非接触照合システム、１１，３１・・・非接触型データ受送信体、１２，３２・・・情報読出装置、１３，３３・・・筒状部材、１４，３４・・・アンテナ、２１，２５・・・磁性体、２２・・・導電体、２３・・・平板状の部材、２４，２６・・・ＲＦＩＤ装置。
【図１】
2006134148.tif 000003
【図２】
2006134148.tif 000004
【図３】
2006134148.tif 000005